(57)【要約】【課題】アレルゲン物質を検出する携帯電話装置と、アレルゲン物質の測定情報を、ネットワークを介して該携帯電話装置から取得して管理する管理センターとを有するアレルゲン探知通知システムにおけるアレルゲン物質が存在する環境の正確な情報の取得。【解決手段】携帯電話装置は、アレルゲン物質を検出するアレルゲン物質検出部１１と、その旨を表示する表示部３と、アレルゲン物質を検出した場所の位置情報をＧＰＳで取得するＧＰＳ部８と、位置情報と前述の検出による測定情報とをアレルゲン物質検出情報として管理センターに送信する無線部１と、を備え、管理センターは、アレルゲン物質検出情報を格納するアレルゲン物質情報サーバと地図情報を格納する地図情報サーバとを備える。【選択図】図１
2010093616.tif 000002
【特許請求の範囲】
【請求項１】
アレルゲン物質を検出する携帯電話装置と、該アレルゲン物質の測定情報を、ネットワークを介して該携帯電話装置から取得して管理する管理センターとを有し、該管理センターにアクセスしている携帯電話装置に前記アレルゲン物質の測定情報を表示する携帯電話によるアレルゲン探知通知システムにおいて、
前記携帯電話装置は、
前記アレルゲン物質を検出するアレルゲン物質検出部と、前記アレルゲン物質を検出した場合その旨を表示する表示部と、
前記アレルゲン物質を検出した場合音声を発するスピーカ部と、
前記アレルゲン物質を検出した場所の位置情報をＧＰＳ（Global Positioning System）による位置の解析で取得するＧＰＳ部と、
該位置情報と前記検出による測定情報とをアレルゲン物質検出情報として前記管理センターに送信する無線部と、
を備え、
前記管理センターは、前記アレルゲン物質検出情報を格納するアレルゲン物質情報サーバと地図情報を格納する地図情報サーバとを備え、前記管理センターにアクセスしている携帯電話装置の位置に対応する地図情報を前記地図情報サーバから取得し、該地図情報に対応するアレルゲン物質検出情報を前記アレルゲン物質情報サーバから取得して、これらの情報を前記管理センターにアクセスしている携帯電話装置に送信し、
前記管理センターにアクセスしている携帯電話装置は、受信した地図情報とアレルゲン物質検出情報とを表示することを特徴とする携帯電話によるアレルゲン探知通知システム。
【請求項２】
前記携帯電話装置は、
二酸化炭素濃度を測定する二酸化炭素濃度測定部と、
湿度を測定する湿度測定部と、
を更に備え、
前記アレルゲン物質検出部は、ハウスダスト、皮屑、花粉、真菌及び昆虫の吸入性アレルゲン物質と、ホルムアルデヒド、アセトアルデヒド、クロロホルム、メタノール及びエタノールの揮発性有機化合物と、を検出することを特徴とする請求項１に記載の携帯電話によるアレルゲン探知通知システム。
【請求項３】
前記携帯電話装置は、前記アレルゲン物質を検出した場合、前記表示部に、ハウスダスト、皮屑、花粉、真菌、ホルムアルデヒド、アセトアルデヒド、クロロホルム、メタノール及びエタノールの測定結果と、二酸化炭素濃度と、湿度と、測定場所と、測定日時とを表示し、
該測定場所の位置情報は、前記ＧＰＳ部による位置の解析で取得することを特徴とする請求項１又は２に記載の携帯電話によるアレルゲン探知通知システム。
【請求項４】
前記管理センターは、前記管理センターにアクセスしている携帯電話装置と前記アレルゲン物質検出情報における前記アレルゲン物質の発生源との距離が予め設定した一定距離以内となった場合に、前記管理センターにアクセスしている携帯電話装置に前記地図情報と前記アレルゲン物質検出情報とを送信することを特徴とする請求項１乃至３のいずれか１項に記載の携帯電話によるアレルゲン探知通知システム。
【請求項５】
前記管理センターは、前記一定距離並びに前記管理センターにアクセスしている携帯電話装置に送信する前記アレルゲン物質検出情報における前記アレルゲン物質の種類及び前記アレルゲン物質の寡多を示すレベルを設定することを特徴とする請求項１乃至４のいずれか１項に記載の携帯電話によるアレルゲン探知通知システム。
【請求項６】
前記アレルゲン物質データ管理センターにアクセスしている携帯電話装置の位置の情報は、該アクセスしている携帯電話装置が有するＧＰＳ部による位置の解析で取得することを特徴とする請求項１乃至５のいずれか１項に記載の携帯電話によるアレルゲン探知通知システム。
【請求項７】
前記携帯電話は、臭いを測定する臭い測定部と、空気を洗浄する空気洗浄部と、酸素を発生する酸素発生部と、湿度をコントロールする湿度調整部と、臭いを消臭する消臭部と、を更に備えることを特徴とする請求項１乃至６のいずれか１項に記載の携帯電話によるアレルゲン探知通知システム。
【請求項８】
アレルゲン物質を検出する携帯電話装置と、該アレルゲン物質の測定情報を、ネットワークを介して該携帯電話装置から取得して管理する管理センターとを有するシステムにおいて、該管理センターにアクセスしている携帯電話装置に前記アレルゲン物質の測定情報を表示する携帯電話によるアレルゲン探知通知方法であって、
前記携帯電話装置が前記アレルゲン物質を検出する手順と、
前記携帯電話装置が前記アレルゲン物質を検出した場所の位置情報をＧＰＳ（Global Positioning System）による位置の解析で取得する手順と、
前記携帯電話装置が前記アレルゲン物質を検出した旨を表示する手順と、
前記携帯電話装置が前記アレルゲン物質を検出した旨を音声で示す手順と、
前記携帯電話装置が該位置情報と前記検出による測定情報とをアレルゲン物質検出情報として前記管理センターに送信する手順と、
前記管理センターが、前記アレルゲン物質検出情報をアレルゲン物質情報サーバに格納する手順と、
前記管理センターが地図情報を地図情報サーバに格納する手順と、
前記管理センターにアクセスしている携帯電話装置の位置に対応する地図情報を前記管理センターが前記地図情報サーバから取得する手順と、
該地図情報に対応するアレルゲン物質検出情報を前記管理センターが前記アレルゲン物質情報サーバから取得する手順と、
前記管理センターが取得した地図情報及びアレルゲン物質検出情報を前記管理センターにアクセスしている携帯電話装置に送信する手順と、
前記管理センターにアクセスしている携帯電話装置が、受信した地図情報とアレルゲン物質検出情報とを表示する手順と、
を備えることを特徴とする携帯電話によるアレルゲン探知通知方法。
【請求項９】
前記アレルゲン物質を検出する手順は、ハウスダスト、皮屑、花粉、真菌及び昆虫の吸入性アレルゲン物質と、ホルムアルデヒド、アセトアルデヒド、クロロホルム、メタノール及びエタノールの揮発性有機化合物と、を検出し、
更に、二酸化炭素濃度を測定する手順と、湿度を測定する手順とを備えることを特徴とする請求項８に記載の携帯電話によるアレルゲン探知通知方法。
【請求項１０】
前記アレルゲン物質を検出した旨を表示する手順は、ハウスダスト、皮屑、花粉、真菌、ホルムアルデヒド、アセトアルデヒド、クロロホルム、メタノール及びエタノールの測定結果と、二酸化炭素濃度と、湿度と、測定場所と、測定日時とを表示し、
該測定場所の位置情報は、前記ＧＰＳによる位置の解析で取得することを特徴とする請求項８又は９に記載の携帯電話によるアレルゲン探知通知方法。
【請求項１１】
前記地図情報及びアレルゲン物質検出情報を前記管理センターにアクセスしている携帯電話装置に送信する手順は、前記管理センターにアクセスしている携帯電話装置と前記アレルゲン物質検出情報における前記アレルゲン物質の発生源との距離が予め設定した一定距離以内となった場合に、前記管理センターにアクセスしている携帯電話装置に前記地図情報と前記アレルゲン物質検出情報とを前記管理センターから送信することを特徴とする請求項８乃至１０のいずれか１項に記載の携帯電話によるアレルゲン探知通知方法。
【請求項１２】
前記地図情報及びアレルゲン物質検出情報を前記管理センターにアクセスしている携帯電話装置に送信する手順は、前記一定距離並びに前記管理センターにアクセスしている携帯電話装置に送信する前記アレルゲン物質検出情報における前記アレルゲン物質の種類及び前記アレルゲン物質の寡多を示すレベルを設定することを特徴とする請求項８乃至１１のいずれか１項に記載の携帯電話によるアレルゲン探知通知方法。
【請求項１３】
前記アレルゲン物質データ管理センターにアクセスしている携帯電話装置の位置の情報は、該アクセスしている携帯電話装置のＧＰＳによる位置の解析で取得することを特徴とする請求項８乃至１２のいずれか１項に記載の携帯電話によるアレルゲン探知通知方法。
【請求項１４】
前記アレルゲン物質を検出する手順は、臭いを測定する手順と、空気を洗浄する手順と、酸素を発生する手順と、湿度をコントロールする手順と、臭いを消臭する手順と、を更に備えることを特徴とする請求項項８乃至１３のいずれか１項に記載の携帯電話によるアレルゲン探知通知方法。
【発明の詳細な説明】
【技術分野】
【０００１】
本発明は、携帯電話によるアレルゲン探知通知システム及びその方法に関する。
【背景技術】
【０００２】
アレルギーを引き起こす原因となるアレルゲン物質にはいくつかあり、特に吸入性のアレルゲン物質で代表的なものは花粉症の原因となる花粉、通年性アレルギー性鼻炎や気管支喘息及びアトピー性皮膚炎の原因となる室内塵（ハウスダスト）等がある。
【０００３】
又、近年、住宅の高気密化に伴い、建材、家具、塗料又は接着剤等から放出されるホルムアルデヒド等の揮発性有機化合物によるシックハウス症候群が問題となっている。
【０００４】
アレルギーは遺伝的傾向の強い疾患であるが、一方で何らかの環境因子により次々にアレルギーを引き起こす場合もあり、遺伝情報だけでなくあらゆる環境因子、つまり日常生活の中でアレルギーを引き起こす因子が複合的に作用することによって発症する複雑な疾患でもある。
【０００５】
昨今の住環境はハウスダストの発生源が多い。気密性が高い住宅が増え、家の中に観葉植物を置くようになりカビが発生しやすくなり、更には、アレルゲンとなる毛や羽毛をもつペットを家の中で飼うことが多くなったことがあげられる。
【０００６】
そのため、吸入性のアレルギー症状を引き起こさないためには、日常生活において、ハウスダスト等のアレルゲン物質の発生源を抑えることや、アレルゲン物質が多く発生している環境に身をおかないことが重要である。
【０００７】
そのため、特許文献１では、携帯電話機に備える各種センサと、この各種センサが計測した情報を、ネットワークを介してサーバに送信し、このサーバにおいて計測した物理化学量のデータベースを構築し、ユーザは、このデータベースの情報を携帯電話機に表示できる発明が開示されている。
【特許文献１】特開２００２−２１６２８２号公報
【発明の開示】
【発明が解決しようとする課題】
【０００８】
しかしながら、特許文献１に開示されている発明は、各種センサを取り付けた携帯電話機の位置を、携帯電話網の基地局情報から特定した位置情報から特定しているため、その携帯電話機の位置を正確に把握することが困難である。
【０００９】
以上のことから、特許文献１に開示されている発明では、アレルゲン物質が存在する環境をユーザが避け得るための正確な情報を取得できないという問題点がある。
【００１０】
本発明は上記に鑑みてなされたものであり、アレルゲン物質が存在する環境をユーザが避け得るための正確な情報を取得可能な携帯電話によるアレルゲン探知通知システム及びその方法を提供することを目的とする。
【課題を解決するための手段】
【００１１】
上述の問題を解決するため、本発明に係る携帯電話によるアレルゲン探知通知システムは、アレルゲン物質を検出する携帯電話装置と、該アレルゲン物質の測定情報を、ネットワークを介して該携帯電話装置から取得して管理する管理センターとを有し、該管理センターにアクセスしている携帯電話装置に前記アレルゲン物質の測定情報を表示する携帯電話によるアレルゲン探知通知システムにおいて、前記携帯電話装置は、前記アレルゲン物質を検出するアレルゲン物質検出部と、前記アレルゲン物質を検出した場合その旨を表示する表示部と、前記アレルゲン物質を検出した場合音声を発するスピーカ部と、前記アレルゲン物質を検出した場所の位置情報をＧＰＳ（Global Positioning System）による位置の解析で取得するＧＰＳ部と、該位置情報と前記検出による測定情報とをアレルゲン物質検出情報として前記管理センターに送信する無線部と、を備え、前記管理センターは、前記アレルゲン物質検出情報を格納するアレルゲン物質情報サーバと地図情報を格納する地図情報サーバとを備え、前記管理センターにアクセスしている携帯電話装置の位置に対応する地図情報を前記地図情報サーバから取得し、該地図情報に対応するアレルゲン物質検出情報を前記アレルゲン物質情報サーバから取得して、これらの情報を前記管理センターにアクセスしている携帯電話装置に送信し、前記管理センターにアクセスしている携帯電話装置は、受信した地図情報とアレルゲン物質検出情報とを表示することを特徴とする。
【００１２】
上述の問題を解決するため、本発明に係る携帯電話によるアレルゲン探知通知方法は、アレルゲン物質を検出する携帯電話装置と、該アレルゲン物質の測定情報を、ネットワークを介して該携帯電話装置から取得して管理する管理センターとを有するシステムにおいて、該管理センターにアクセスしている携帯電話装置に前記アレルゲン物質の測定情報を表示する携帯電話によるアレルゲン探知通知方法であって、前記携帯電話装置が前記アレルゲン物質を検出する手順と、前記携帯電話装置が前記アレルゲン物質を検出した場所の位置情報をＧＰＳ（Global Positioning System）による位置の解析で取得する手順と、前記携帯電話装置が前記アレルゲン物質を検出した旨を表示する手順と、前記携帯電話装置が前記アレルゲン物質を検出した旨を音声で示す手順と、前記携帯電話装置が該位置情報と前記検出による測定情報とをアレルゲン物質検出情報として前記管理センターに送信する手順と、前記管理センターが、前記アレルゲン物質検出情報をアレルゲン物質情報サーバに格納する手順と、前記管理センターが地図情報を地図情報サーバに格納する手順と、前記管理センターにアクセスしている携帯電話装置の位置に対応する地図情報を前記管理センターが前記地図情報サーバから取得する手順と、該地図情報に対応するアレルゲン物質検出情報を前記管理センターが前記アレルゲン物質情報サーバから取得する手順と、前記管理センターが取得した地図情報及びアレルゲン物質検出情報を前記管理センターにアクセスしている携帯電話装置に送信する手順と、前記管理センターにアクセスしている携帯電話装置が、受信した地図情報とアレルゲン物質検出情報とを表示する手順と、を備えることを特徴とする。
【発明の効果】
【００１３】
以上説明したように本発明によれば、アレルゲン物質を検出した場所の位置情報をＧＰＳ（Global Positioning System）による位置の解析で取得し、この位置情報と測定情報とをアレルゲン物質検出情報として管理センターのアレルゲン物質情報サーバに格納することにより、アレルゲン物質が存在する環境をユーザが避け得るための正確な情報を取得可能な携帯電話によるアレルゲン探知通知システム及びその方法を提供することができる。
【発明を実施するための最良の形態】
【００１４】
次に、本発明の実施の形態について図面を参照しながら詳細に説明する。
［第１実施形態］
図１は本発明の第１の実施の形態に係るアレルゲン物質検出機能を備えた携帯電話装置を示すブロック構成図である。
【００１５】
図１によると、本実施の形態に係る携帯電話装置は、携帯電話の基地局より送信される情報を受信し情報を送信する無線部１と、アンテナ２と、情報を表示する表示部３と、操作部４と、情報を格納するメモリ部５と、音声を出力するスピーカ部７と、ＧＰＳ（Global Positioning System）による位置の解析を行うＧＰＳ部８と、アレルゲン物質を検出するアレルゲン物質検出部１１と、二酸化炭素濃度を測定する二酸化炭素濃度測定部１２と、湿度を測定する湿度測定部１３と、無線部１、表示部３、操作部４、メモリ部５、スピーカ部７、ＧＰＳ部８、アレルゲン物質検出部１１、二酸化炭素濃度測定部１２及び湿度測定部１３を制御する制御部６と、を備える。
【００１６】
図２は、本実施の形態に係る携帯電話装置におけるアレルゲン物質の測定処理のフローチャートである。
【００１７】
まず、アレルゲン物質の測定が開始されると、アレルゲン物質検出部１１、二酸化炭素濃度測定部１２、湿度測定部１３及びＧＰＳ部８がＯＮとなり（ステップ１０１）、アレルゲン物質の測定が終了しているか否かを判定する（ステップ１０２）。
【００１８】
ステップ１０２での判定が「ＹＥＳ」で、アレルゲン物質測定が終了の場合は、次にアレルゲン物質が検出したかどうか判定する（ステップ１０３）。
【００１９】
ステップ１０３で、アレルゲン物質を検出した場合は、その旨を表示部３に表示するとともに、スピーカ部７で音声・鳴動による通知を行う（ステップ１０４）。
【００２０】
図３はアレルゲン物質を検出した場合の表示部３に表示する測定結果表示例である。ここでは、吸入性アレルゲン物質として一般的なハウスダスト、皮屑、花粉、真菌及び昆虫と、揮発性有機化合物のホルムアルデヒド、アセトアルデヒド、クロロホルム、メタノール及びエタノールの測定結果を表示している。また、あわせて二酸化炭素濃度、湿度、測定場所及び測定日時を表示している。なお、測定場所の位置情報は、ＧＰＳ部８による位置の解析で取得する。
【００２１】
次に、無線部１は、アレルゲン物質の測定情報とＧＰＳで測定の位置情報とを、アレルゲン物質検出情報としてネットワークを介して、アレルゲン物質を管理するアレルゲン物質データ管理センター５００のアレルゲン物質情報サーバ５０２にデータ送信する（ステップ１０５）。その後、アレルゲン物質検出部１１、ＧＰＳ部８、二酸化炭素濃度測定部１２及び湿度測定部１３をＯＦＦ（ステップ１０６）にして測定を終了する。
【００２２】
図４はアレルゲン物質データ管理センター５００とのネットワーク構成例である。各々の携帯電話装置４１から収集したアレルゲン物質検出情報はアレルゲン物質情報サーバ５０２にあり、地図情報サーバ５０１の地図情報とリンクさせて、アレルゲン物質検出の位置情報を、アレルゲン物質データ管理センター５００にアクセスしている携帯電話装置４１に表示させる。
【００２３】
図５は、地図情報サーバ５０１が有する地図情報とともに、アレルゲン物質検出情報を表示した例である。アレルゲン物質情報サーバ５０２に格納されているアレルゲン物質検出情報におけるアレルゲン物質の種類、アレルゲン物質の寡多を示すレベル及びそれらが測定された測定場所を地図上に示している。
【００２４】
この地図情報は、アレルゲン物質データ管理センター５００にアクセスしている携帯電話装置の位置に対応するもので、アレルゲン物質データ管理センター５００が地図情報サーバ５０１から取得したものである。
【００２５】
又、アレルゲン物質データ管理センター５００は、この地図情報に対応したアレルゲン物質検出情報をアレルゲン物質情報サーバ５０２から取得する。
【００２６】
アレルゲン物質データ管理センター５００は、この地図情報と、この地図情報に対応したアレルゲン物質検出情報とをアレルゲン物質データ管理センター５００にアクセスしている携帯電話装置に送信する。
【００２７】
アレルゲン物質データ管理センター５００にアクセスしている携帯電話装置は、受信した地図情報と、この地図情報に対応したアレルゲン物質検出情報とを表示部に表示する。
【００２８】
図６はアレルゲン物質の位置通知設定の表示例で、使用者の現在位置情報とアレルゲン物質検出位置情報におけるアレルゲン物質の発生源との距離が予め設定した一定距離以内となった場合に使用者に通知する距離設定、通知するアレルゲン物質の有無及び通知レベル設定の例である。
【００２９】
使用者の現在位置情報は、アレルゲン物質データ管理センター５００にアクセスしている携帯電話装置の位置であり、使用者に通知するとは、アレルゲン物質データ管理センター５００にアクセスしている携帯電話装置に地図情報とこの地図情報に対応するアレルゲン物質検出情報とを送信することである。
【００３０】
アレルゲン物質データ管理センター５００は、通知するアレルゲン物質の種類、アレルゲン物質の寡多を示すレベル及び使用者の現在位置情報とアレルゲン物質検出位置情報との距離が予め設定した一定距離以内の場合に使用者に通知する距離設定を設定できる。
【００３１】
また、アレルゲン物質データ管理センター５００にアクセスしている携帯電話装置の位置の情報は、アクセスしている携帯電話装置が有するＧＰＳ部による位置の解析で取得してもよいし、携帯電話網の基地局情報から特定した位置情報によってもよい。
［第２実施形態］
次に、本発明の第２の実施形態について図面を参照して詳細に説明する。
【００３２】
図７は、本実施の形態における空気洗浄機能を備えた携帯電話装置を示すブロック構成図である。
【００３３】
図７によると、本実施の形態における空気洗浄機能を備えた携帯電話装置は、携帯電話の基地局より送信される情報を受信する無線部２１と、アンテナ２２と、表示部２３と、操作部２４と、メモリ部２５と、スピーカ部２７と、ＧＰＳ部２８と、アレルゲン物質を検出するアレルゲン物質検出部３１と、二酸化炭素濃度を測定する二酸化炭素濃度測定部３２と、湿度を測定する湿度測定部３３と、臭いを測定する臭い測定部３４と、空気を洗浄する空気洗浄部３５と、酸素を発生する酸素発生部３５と、湿度をコントロールする湿度調整部３７と、臭いを消臭する消臭部３８と、無線部２１、表示部２３、操作部２４、メモリ部２５、スピーカ部２７、ＧＰＳ部２８、アレルゲン物質検出部３１、二酸化炭素濃度測定部３２、湿度測定部３３、臭い測定部３４、空気洗浄部３５、酸素発生部３６、湿度調整部３７及び消臭部３８を制御する制御部２６と、を備える。
【００３４】
図８は本発明の空気洗浄機能を備えた携帯電話装置における空気洗浄処理のフローチャートである。
【００３５】
まず、測定が開始されると、アレルゲン物質検出部３１がＯＮ（ステップ２０１）、二酸化炭素濃度測定部３２がＯＮ（ステップ２１１）、湿度測定部３３がＯＮ（ステップ２２１）、臭い測定部３４がＯＮ（ステップ２３１）となる。
【００３６】
次いで、アレルゲン物質測定終了か否か（ステップ２０２）、二酸化炭素濃度測定終了か否か（ステップ２１２）、湿度測定終了か否か（ステップ２２２）、臭い測定終了か否か（ステップ２３２）をそれぞれ判定する。
【００３７】
ステップ２０２、２１２、２２２又は２３２で終了の場合はそれぞれ、アレルゲン物質検出か否か（ステップ２０３）、二酸化炭素濃度か高いか否か（ステップ２１３）、湿度が適正範囲外か否か（ステップ２２３）、臭い検出か否か（ステップ２３３）を判定し、ステップ２０３、２１３、２２３又は２３３でＹＥＳの場合はそれぞれ、空気洗浄機ＯＮ（ステップ２０４）、酸素発生部ＯＮ（ステップ２１４）、湿度調整部ＯＮ（ステップ２２４）、消臭部ＯＮ（ステップ２３４）にする。
【００３８】
続いて、それぞれの処理が終了したかどうかを確認する。空気洗浄終了か否か（ステップ２０５）、酸素発生終了か否か（ステップ２１５）、湿度調整終了か否か（ステップ２２５）、消臭終了か否か（ステップ２３５）をそれぞれ判定し、終了の場合は、アレルゲン物質検出部３１及び空気洗浄部３５をＯＦＦ（ステップ２０６）、二酸化炭素濃度測定部３２及び酸素発生部３６をＯＦＦ（ステップ２１６）、湿度測定部３３及び湿度調整部３７をＯＦＦ（ステップ２２６）、臭い測定部３４及び消臭部３８をＯＦＦ（ステップ２３６）にする。
【産業上の利用可能性】
【００３９】
本発明に係る携帯電話によるアレルゲン探知通知システム及びその方法は、使用者に予めアレルゲン物質が検出された場所を通知することにより、その場所を避けて通る等によって、そのアレルゲン物質との接触を防止することに利用できる。
【図面の簡単な説明】
【００４０】
【図１】本発明の第１の実施の形態におけるアレルゲン物質の検出機能を備えた携帯電話装置の構成図である。
【図２】本発明の第１の実施の形態におけるアレルゲン物質の測定処理のフローチャートである。
【図３】本発明の第１の実施の形態におけるアレルゲン物質の測定結果表示例である。
【図４】本発明の第１の実施の形態におけるアレルゲン物質データ管理センターとのネットワーク構成例である。
【図５】本発明の第１の実施の形態におけるアレルゲン物質と地図連動表示例である。
【図６】本発明の第１の実施の形態におけるアレルゲン物質の位置通知設定の表示例である。
【図７】本発明の第２の実施の形態における空気洗浄機能を備えた携帯電話装置を示すブロック構成図である。
【図８】本発明の第２の実施の形態における空気洗浄処理のフローチャートである。
【符号の説明】
【００４１】
１  無線部
２  アンテナ
３  表示部
４  操作部
５  メモリ部
６  制御部
７  スピーカ部
８  ＧＰＳ部
１１  アレルゲン物質検出部
１２  二酸化炭素濃度測定部
１３  湿度測定部
２１  無線部
２２  アンテナ
２３  表示部
２４  操作部
２５  メモリ部
２６  制御部
２７  スピーカ部
２８  ＧＰＳ部
３１  アレルゲン物質検出部
３２  二酸化炭素濃度測定部
３３  湿度測定部
３４  臭い測定部
３５  空気洗浄部
３６  酸素発生部
３７  湿度調整部
３８  消臭部
４１  携帯電話装置
５００  アレルゲン物資データ管理センター
５０１  地図情報サーバ
５０２  アレルゲン物質情報サーバ
【図１】
2010093616.tif 000003
【図２】
2010093616.tif 000004
【図３】
2010093616.tif 000005
【図４】
2010093616.tif 000006
【図５】
2010093616.tif 000007
【図６】
2010093616.tif 000008
【図７】
2010093616.tif 000009
【図８】
2010093616.tif 000010